(57)【要約】【課題】使用者がバッテリカバーを確実に携帯端末機に固定し、且つ、バッテリカバーを携帯端末機から容易に着脱し得る携帯端末機のバッテリカバーロッキング装置を提供する。【解決手段】バッテリカバー１２０に形成された少なくとも一つ以上のフック１２１と、前記フック１２１と係合される少なくとも一つ以上のロック部材１５０と、前記ロック部材１５０に弾性力を与える少なくとも一つ以上の第１弾性部材３００と、前記ロック部材１５０の移動方向と垂直方向に上下動するロッキング解除手段２００と、前記ロッキング解除手段２００に弾性力を与える第２弾性部材１９０とを含んで構成する。【選択図】図１
2004297067.tif 000002
【特許請求の範囲】
【請求項１】
バッテリカバーに形成された少なくとも一つ以上のフックと、
前記フックと係合される少なくとも一つ以上のロック部材と、
前記ロック部材に弾性力を与える少なくとも一つ以上の第１弾性部材と、
前記ロック部材の移動方向と垂直方向に上下動するロッキング解除手段と、
前記ロッキング解除手段に弾性力を与える第２弾性部材とを含んで構成されることを特徴とする携帯端末機のバッテリカバーロッキング装置。
【請求項２】
前記ロック部材には、前記フックと係合されるロック部が更に形成されることを特徴とする請求項１記載の携帯端末機のバッテリカバーロッキング装置。
【請求項３】
前記第１弾性部材の一方端は前記ロック部材に固定され、他方端は携帯端末機の本体に固定されることを特徴とする請求項１記載の携帯端末機のバッテリカバーロッキング装置。
【請求項４】
前記ロッキング解除手段は、前記ロック部材との当接面が所定の角度に傾斜して形成されることを特徴とする請求項１記載の携帯端末機のバッテリカバーロッキング装置。
【請求項５】
前記ロッキング解除手段と接する前記ロック部材の一方側面は、所定の角度に傾斜して形成されることを特徴とする請求項１記載の携帯端末機のバッテリカバーロッキング装置。
【請求項６】
前記第２弾性部材の一方端は前記ロッキング解除手段に固定され、他方端は携帯端末機の本体に固定されることを特徴とする請求項１記載の携帯端末機のバッテリカバーロッキング装置。
【請求項７】
前記ロッキング解除手段は、バッテリカバーのロッキング解除時、外力により移動しながら前記ロック部材を水平動させる押しボタンと、
前記押しボタンの下方側に突出形成されて携帯端末機の本体の貫通孔に挿合された支持ロッドと、
前記支持ロッドの下面縁部に突出形成されて前記貫通孔に係止されることで、前記支持ロッドが前記貫通孔から離脱する現象を防止するストッパーとから構成されることを特徴とする請求項１記載の携帯端末機のバッテリカバーロッキング装置。
【請求項８】
前記押しボタンは、前記ロック部材との当接面が所定の角度に傾斜して形成されることを特徴とする請求項７記載の携帯端末機のバッテリカバーロッキング装置。
【請求項９】
前記押しボタンに当接する前記ロック部材の一方側面は、所定の角度に傾斜して形成されることを特徴とする請求項７記載の携帯端末機のバッテリカバーロッキング装置。
【請求項１０】
前記第２弾性部材の一方端は前記押しボタンに固定され、他方端は携帯端末機の本体に固定されることを特徴とする請求項７記載の携帯端末機のバッテリカバーロッキング装置。
【請求項１１】
前記ロック部材の装着空間を覆蓋するデコプレートを更に含んで構成されることを特徴とする請求項１記載の携帯端末機のバッテリカバーロッキング装置。
【発明の詳細な説明】
【技術分野】
【０００１】
本発明は、携帯端末機のバッテリカバーロッキング装置に係るもので、詳しくは、使用者がバッテリカバーを確実に自由自在に携帯端末機に結合及び分離し得る携帯端末機のバッテリカバーロッキング装置に関するものである。
【背景技術】
【０００２】
従来、携帯端末機等において、着脱可能なバッテリーを携帯端末機本体に固定保持させる各種技術が開示されている（例えば、特許文献１参照）。
【０００３】
図６〜図８に示すように、従来の携帯端末機は、一方に軸支え部１０１が形成された本体１００と、本体１００にバッテリ１１０を覆いながら結合されるバッテリカバー１２０と、バッテリカバー１２０を本体１００に結合、固定させるロッキング装置１３０と、ロッキング装置１３０を固定及び保護するデコプレート１４０とから構成されている。
【０００４】
又、ロッキング装置１３０においては、図８に示すように、バッテリカバー１２０を固定させるロッカー１３１が軸１３１ａにより本体１００の軸支え部１０１に押動可能に嵌装され、ロッカー１３１と本体１００との間には、ロッカー１３１を弾性的に支持するスプリング１３２が装着される。
【０００５】
又、ロッカー１３１には、バッテリカバー１２０の上方端に突出形成されたフック１２０ａと係合されるロック部１３１ｂが形成され、フック１２０ａがロック部１３１ｂと係合されることで、バッテリカバー１２０が本体１００にロックされる。
又、バッテリカバー１２０を本体１００から分離する場合は、使用者がロッカー１３１を押すことで、ロッカー１３１のロック部１３１ｂ及びバッテリカバー１２０のフック１２０ａのロックが解除された後、バッテリカバー１２０が分離される。
【０００６】
【特許文献１】特開２００１−２８５４３１号公報
【発明の開示】
【発明が解決しようとする課題】
【０００７】
しかしながら、このような従来の携帯端末機のバッテリカバーロッキング装置においては、携帯端末機に外部から落下衝撃などが加えられると、ロッカー１３１を弾性的に支持するスプリング１３２が自然に圧縮されることで、ロッカー１３１のロック部１３１ｂとバッテリカバー１２０のフック１２０ａとの間にギャップが発生するため、バッテリカバー１２０がロッキング装置１３０から容易に外れてしまうという問題点があった。
【０００８】
そこで、本発明は上記従来の携帯端末機のバッテリカバーロッキング装置における問題点に鑑みてなされたものであって、本発明の目的は、使用者がバッテリカバーを確実に携帯端末機に固定し、且つ、バッテリカバーを携帯端末機から容易に着脱し得る携帯端末機のバッテリカバーロッキング装置を提供することにある。
【課題を解決するための手段】
【０００９】
上記目的を達成するためになされた本発明による携帯端末機のバッテリカバーロッキング装置は、バッテリカバーに形成された少なくとも一つ以上のフックと、前記フックと係合される少なくとも一つ以上のロック部材と、前記ロック部材に弾性力を与える少なくとも一つ以上の第１弾性部材と、前記ロック部材の移動方向と垂直方向に上下動するロッキング解除手段と、前記ロッキング解除手段に弾性力を与える第２弾性部材とを含んで構成されることを特徴とする。
【発明の効果】
【００１０】
本発明による携帯端末機のバッテリカバーロッキング装置によれば、携帯端末機の本体に一対のロック部材が移動自在に装着され、それらロック部材が左右両方側のスプリングにより弾性的に支持されることで、バッテリカバーの両側方のフックを両方向で確実にロックするため、使用者が携帯端末機を落下させて衝撃力が加えられた場合でも、バッテリカバーのロッキング状態が容易に解除されることなく、確実に保持し得るという効果がある。
又、バッテリカバーを分離する場合、使用者が押しボタンを押して簡単に分離し得るため、使用上の便利性及び安全性が向上することで、製品の品質を向上し得るという効果がある。
【発明を実施するための最良の形態】
【００１１】
次に、本発明に係る携帯端末機のバッテリカバーロッキング装置を実施するための最良の形態の具体例を図面を参照しながら説明する。
【実施例】
【００１２】
図１〜図５を参照すると、本発明に係る携帯端末機のバッテリカバーロッキング装置は、バッテリが装着されるバッテリカバー１２０の上方に形成された少なくとも一つ以上のフック１２１と、携帯端末機の本体１００の内側に移動自在に装着されて、バッテリカバー１２０をロックするとき、フック１２１と係合されるロック部１５０ａが形成された少なくとも一つ以上のロック部材１５０と、それらロック部材１５０に弾性力を与える少なくとも一つ以上の第１弾性部材３００と、ロック部材１５０の移動方向と垂直方向に上下動するロッキング解除手段２００と、ロッキング解除手段２００の後述する支持ロッド１６２に巻装されて弾性力を与える第２弾性部材１９０とを含んで構成されている。
【００１３】
ロッキング解除手段２００は、バッテリカバーのロッキング解除時、使用者の押す力により下降させられることで、各々のロック部材１５０を左右両方向に移動させる押しボタン１６０と、押しボタン１６０の下方に突出形成されて、本体１００の貫通孔１０３に挿合された支持ロッド１６２と、支持ロッド１６２の下面縁部に突出形成されて貫通孔１０３に係止されることで、支持ロッド１６２が貫通孔１０３から離脱する現象を防止する環状のストッパー１６３とから構成される。
【００１４】
又、押しボタン１６０は、押しボタン１６０の下面が下方向に行くに従って縮小するようにロック部材１５０との当接面１６１を所定の角度にて傾斜させて形成され、押しボタン１６０に当接するロック部材１５０の一方側面１５１は、押しボタン１６０の外側傾斜壁面に対応した角度を有して傾斜させて形成される。
【００１５】
第１弾性部材３００は、携帯端末機の本体１００の内部両側方壁面の下方にそれぞれ突出形成されたスプリング支持部１０２と、プリング支持部１０２に対応するようにロック部材１５０の両側方の外側壁面に形成された支持部１５２間に設置された複数のスプリング１７０とにより構成され、それらスプリング１７０は、各ロック部材１５０の水平方向に弾性力を提供する。このとき、第１弾性部材３００は、ロック部材１５０の両側方にそれぞれ装着されるが、これに限定されず、片方のロック部材１５０に装着されることもできる。
【００１６】
又、第２弾性部材１９０は、押しボタン１６０の下面と携帯端末機の本体１００の内部底面上間に弾性的に支持するように配置され、押しボタン１６０の解除動作時、押しボタン１６０を元位置に復元させる役割をする。
又、本体１００の上方上面には、開口部１８１を有するデコプレート１８０が覆蓋され、開口部１８１から押しボタン１６０が携帯端末機の外部に露出するようになっている。
【００１７】
以下、このように構成された本発明に係る携帯端末機のバッテリカバーロッキング装置の作用動作に対して説明する。
図２及び図３に示すように、バッテリカバー１２０の両側方のフック１２１が一対のロック部材１５０のロック部１５０ａと係合されることで、バッテリカバー１２０が本体１００に装着される。このとき、フック１２１には、スプリング１７０の弾性力が作用し、一対のロック部材１５０により両方向で確実にロックされるため、携帯端末機に外力が作用した場合でも、バッテリカバー１２０は本体１００から容易に分離しない。
【００１８】
一方、図４及び図５に示すように、本体１００からバッテリカバー１２０を分離する場合は、使用者がデコプレート１８０の開口部１８１を通して露出された押しボタン１６０を押すと、押しボタン１６０が下降されることで、押しボタン１６０の両側方の当接面１６１により両側方のロック部材１５０が左右方向に押されて、一対のロック部材１５０が相互に離隔する方向に水平移動する。よって、バッテリカバー１２０の両側方のフック１２１がロック部材１５０のロック部１５０ａから離脱されることで、ロック部材１５０からロックが解除されて、バッテリカバー１２０が分離される。
【００１９】
その後、押しボタン１６０の動作を解除するため、使用者が押しボタン１６０から手を離すと、ロック部材１５０及び押しボタン１６０は、第１及び第２弾性部材３００、１９０の弾性力により元の位置に復帰される。
【００２０】
尚、本発明は、上述の実施例に限られるものではない。本発明の技術的範囲から逸脱しない範囲内で多様に変更実施することが可能である。
【図面の簡単な説明】
【００２１】
【図１】本発明に係る携帯端末機のバッテリカバーロッキング装置部分を示した斜視図である。
【図２】図１のバッテリカバーのロッキング状態を示した平面図である。
【図３】図２のＶＩ−ＶＩ線での縦断面図である。
【図４】図１のバッテリカバーのロッキング解除状態を示した平面図である。
【図５】図４のＶＩＩＩ−ＶＩＩＩ線での縦断面図である。
【図６】従来の携帯端末機を示した分解斜視図である。
【図７】従来の携帯端末機を示した分解斜視図である。
【図８】従来の携帯端末機のバッテリカバーロッキング装置を示した一部縦断面図である。
【符号の説明】
【００２２】
１００        本体
１０２        スプリング支持部
１０３        貫通孔
１２０        バッテリカバー
１２１        フック
１５０        ロック部材
１５０ａ      ロック部
１５１        ロック部材の一方側面
１５２        支持部
１６０        押しボタン
１６１        押しボタンの当接面
１６２        支持ロッド
１６３        ストッパー
１７０        スプリング
１８０        デコプレート
１８１        開口部
１９０        第２弾性部材
２００        ロッキング解除手段
３００        第１弾性部材
【図１】
2004297067.tif 000003
【図２】
2004297067.tif 000004
【図３】
2004297067.tif 000005
【図４】
2004297067.tif 000006
【図５】
2004297067.tif 000007
【図６】
2004297067.tif 000008
【図７】
2004297067.tif 000009
【図８】
2004297067.tif 000010